(57)【要約】【課題】  広い範囲に展開可能なオーニング装置を提供する。【解決手段】  オーニング装置１は、展開した状態の天幕１０で、日光を遮り、屋上床面２に日陰を生み出すことができる。また、天幕１１として示すように、展開する天幕１０は、壁面４側に折り畳んで収納することもできる。天幕１０，１１は、一定の間隔に配置される支持シャフト１２で支持される。収納時の天幕１１は、支持シャフト１２の位置で折り畳まれる。天幕１０，１１を展開と収納との間に変化させるための移動は、各支持シャフト１２の両側をレール柱１３で支持しながら行う。レール柱１３は、天幕１０，１１が展開と収納との間で進退する方向の両側に配置され、屋上床面２からは、支柱１４で支えられている。【選択図】  図１
2010065513.tif 000002
【特許請求の範囲】
【請求項１】
天幕をほぼ水平な方向に展開または収納するように進退可能なオーニング装置であって、
天幕の幅方向の両側に配置され、基端側で収納し、基端側と先端側との間に展開するように、天幕の進退方向の移動を案内する軌道となる軌道部材と、
天幕の展開時に進退方向の間隔が開くように配置されて天幕をそれぞれ支持し、進退方向に垂直な幅方向の両側で軌道部材による支持を受ける複数の支持部材と、
天幕の進退方向に隣接する支持部材の端部間を連結し、連結部が各支持部材に対して回動自在となる複数のリンク部材と、
軌道部材の基端側と先端側との間を移動可能で、天幕の進退方向の先端側からリンク部材を介して各支持部材に作用し、軌道部材に沿う支持部材の移動で、天幕を、軌道部材の先端側と基端側との間に展開、または軌道部材の基端側に収納させる移動機構と、
軌道部材の基端側に設けられ、収納時に、隣接する支持部材を上下方向に分けて、天幕を折り畳みながら収納する折り畳み機構とを、
含むことを特徴とするオーニング装置。
【請求項２】
前記隣接する支持部材は、前記天幕の幅方向に延びる長さが異なり、
前記折り畳み機構は、該幅方向に延びる長さの違いに基づいて、支持部材を上下に分けることを特徴とする請求項１記載のオーニング装置。
【請求項３】
前記支持部材の端部には、前記軌道による案内を受けるローラが設けられ、
前記軌道部材には、支持部材の前記長さの違いに応じて、前記幅方向に位置が異なる軌道が形成されており、
前記折り畳み機構は、該軌道の違いに応じて前記折り畳みを行うことを特徴とする請求項２記載のオーニング装置。
【発明の詳細な説明】
【技術分野】
【０００１】
本発明は、建物の壁面等に設置して、日除けとなる天幕を展開および収納可能なオーニング装置に関する。
【背景技術】
【０００２】
従来から、住宅や商業建築、事務所建築などの日除けとして、オーニングが利用されている。オーニングは、巻いた状態などで収納する布地を、季節や、日ざしに応じて展開し、室内への太陽の直射光線量を調整したり、軒先での雨よけや日除けを行ったりすることができる（たとえば、特許文献１および特許文献２参照）。建物がビルなどで階数が多い場合でも、オーニングは主として地上階に用いられる。
【０００３】
近年、高層ビルなどが林立する都会では、ヒートアイランド現象が顕著となり、その対策の一環として、ビルなどの屋上緑化が挙げられている。屋上緑化では、屋上のスペースを庭園や菜園として利用しながら、建物への太陽光の吸収を減らし、夏場の冷房負荷を減少させることができる。冷房負荷の減少で、冷房のための熱交換で発生する排熱も減少し、また太陽光の周囲への反射も減らして、温度上昇を抑制することができる。
【特許文献１】特許第４０８８０８９号公報
【特許文献２】特開２００１−９０２４４号公報
【発明の開示】
【発明が解決しようとする課題】
【０００４】
ビルの屋上は、周囲の土壌と切離されているので、植物が生育する環境としては適していない。屋上緑化を図るためには、人手による世話が必要となる。また、庭園などの利用では、人が休憩するスペースを設ける必要がある。ビルの屋上などでは、気候も地面上よりは過酷に変化し、日照時の日差しも強い。このため、人による世話や利用のスペースには日除けとなる屋根が必要となる。ビルの屋上では風も強くなるので、日除けには耐久性が必要となる。しかしながら、屋上に、さらに一階分の屋根を増設することは、技術的、法的に困難である。屋上には、ペントハウスや昇降階段室など、比較的小面積の屋根付部屋しか設けることができない。したがって、屋上に設ける日除けは、これらの屋根付部屋の壁面等に、オーニングのような展開および収納が可能なものを設置する必要がある。従来のオーニングは、室内への入口や窓などに設けられ、建物外であまり広い範囲の日除けなどとして利用することができない。
【０００５】
本発明の目的は、広い範囲に展開可能なオーニング装置を提供することである。
【課題を解決するための手段】
【０００６】
本発明は、天幕をほぼ水平な方向に展開または収納するように進退可能なオーニング装置であって、
天幕の幅方向の両側に配置され、基端側で収納し、基端側と先端側との間に展開するように、天幕の進退方向の移動を案内する軌道となる軌道部材と、
天幕の展開時に進退方向の間隔が開くように配置されて天幕をそれぞれ支持し、進退方向に垂直な幅方向の両側で軌道部材による支持を受ける複数の支持部材と、
天幕の進退方向に隣接する支持部材の端部間を連結し、連結部が各支持部材に対して回動自在となる複数のリンク部材と、
軌道部材の基端側と先端側との間を移動可能で、天幕の進退方向の先端側からリンク部材を介して各支持部材に作用し、軌道部材に沿う支持部材の移動で、天幕を、軌道部材の先端側と基端側との間に展開、または軌道部材の基端側に収納させる移動機構と、
軌道部材の基端側に設けられ、収納時に、隣接する支持部材を上下方向に分けて、天幕を折り畳みながら収納する折り畳み機構とを、
含むことを特徴とするオーニング装置である。
【０００７】
また本発明で、前記隣接する支持部材は、前記天幕の幅方向に延びる長さが異なり、
前記折り畳み機構は、該幅方向に延びる長さの違いに基づいて、支持部材を上下に分けることを特徴とする。
【０００８】
また本発明で、前記支持部材の端部には、前記軌道による案内を受けるローラが設けられ、
前記軌道部材には、支持部材の前記長さの違いに応じて、前記幅方向に位置が異なる軌道が形成されており、
前記折り畳み機構は、該軌道の違いに応じて前記折り畳みを行うことを特徴とする。
【発明の効果】
【０００９】
本発明によれば、天幕を軌道部材の基端側に折り畳む状態で収納し、軌道部材の基端側と先端側との間に展開することができるので、収納に要するスペースに比較して、広い範囲に展開し、日除けなどの機能を発揮させることができる。このようなオーニング装置は、ビルの屋上などに設置し、広い範囲に展開させて、菜園や庭園などとしての屋上緑化の際に、人が必要とするスペースの屋根として機能させることができる。ビルの屋上などでは強風にさらされることが多くなるけれども、天幕を折り畳んで収納することができるので、損傷を受けないようにすることができる。
【００１０】
また本発明によれば、支持部材が天幕の幅方向に延びる長さの違いを利用して、収納時に天幕を確実に折り畳むことができる。
【００１１】
また本発明によれば、支持部材の端部に設けられるローラを案内する軌道の違いに基づいて、折り畳みを円滑に行うことができる。
【発明を実施するための最良の形態】
【００１２】
図１は、本発明の実施の一形態としてのオーニング装置１の概略的な構成を示す。オーニング装置１は、既存のビルなどの屋上床面２に対して新たに付加される日除けなどとして使用される。ビルの屋上には、階段室３の壁面４など、屋上床面２に比較して小さい床面積を有する建造物の壁面が存在する。オーニング装置１は、壁面４で出入口５が設けられる場所の近傍に複数基が配置される。出入口５と屋上床面２との間に段差があれば、傾斜踏板６などを設けて、人や運搬車などの出入りが円滑に行えるようにしておく。
【００１３】
オーニング装置１は、展開した状態の天幕１０で、日光を遮り、屋上床面２に日陰を生み出すことができる。また、天幕１１として示すように、展開する天幕１０は、壁面４側に折り畳んで収納することもできる。天幕１０，１１は、一定の間隔に配置される支持シャフト１２で支持される。収納時の天幕１１は、支持シャフト１２の位置で折り畳まれる。天幕１０，１１を展開と収納との間に変化させるための移動は、各支持シャフト１２の両側をレール柱１３で支持しながら行う。レール柱１３は、天幕１０，１１が展開と収納との間で進退する方向の両側に配置され、屋上床面２からは、支柱１４で支えられている。支柱１４の高さは、たとえば２ｍ以上、レール柱１３間の間隔は約３ｍ、レール柱１３の長さは、間隔の２倍以上にすることができる。支柱１４で支えられるレール柱１３は、
補強材１５，１６で補強される。レール柱１３の基端側となる壁面４側には、折り畳み機構１７が設けられて、収納する天幕１１を折り畳むことができる。折り畳む際には、支持シャフト１２も伴われる。すなわち、基端側から離れるレール柱１３の先端側に展開している状態の天幕１０は進退方向に一定間隔で配置される支持シャフト１２で支持され、収納状態の天幕１１は上下に分れる支持シャフト１２間で折り畳まれる。後述するように、進退方向に隣接する支持シャフト１２間はリンク板で連結され、レール柱１３で移動が案内される際には、リンク板も進退方向に連続するように並ぶので、連続するリンク板の先端側を押し引きすれば、天幕１０，１１を進退させることができる。
【００１４】
図２は、天幕１０をレール柱１３の先端側まで展開させているオーニング装置１と、天幕１１をレール柱１３の基端側で折り畳んで収納しているオーニング装置１とを、並べて示す。レール柱１３の基端側には、モータ２０が設けられ、レール柱１３内に収容される長円状のベルト２１を駆動する。レール柱１３は天幕１０の幅方向の両側に配置される。ベルト２１が設けられるレール柱１３に対して、天幕１０を挟んで対向するレール柱１３にも、ベルト２１と同様なベルト２２が収容される。ベルト２２は、モータ２０によって、回転軸２３を介して駆動される。
【００１５】
図３は、天幕１０，１１の図示を省略しているけれども、左側で天幕１０を展開する状態、右側で天幕１１を収納する状態での、支持シャフト１２等の配置を示す。展開する状態の天幕１０は、ほぼ水平に配列する支持シャフト１２で支持される。紙面に垂直な方向に配置される支持シャフト１２間は、リンク板２５で連結される。リンク板２５は、レール柱１３に近い、幅方向の端部で支持シャフト１２間を連結している。支持シャフト１２の幅方向の先端には、移動ローラ２６，２７が回転可能に支持されている。隣接する支持シャフト１２には、交互に、内側の移動ローラ２６、または外側の移動ローラ２７がそれぞれ設けられる。各支持シャフト１２には、リンク板２５とレール柱１３との間に、支持シャフト１２や移動ローラ２６，２７よりも径が大きいスペーサローラ２８が取付けられている。
【００１６】
図４は、支持シャフト１２の片側の端部をレール柱１３で支持する構造を示す。レール柱１３は、左右対称な断面形状を有し、図３に示すように、左右の両側で支持シャフト１２をそれぞれ支持することができるけれども、説明の便宜上、片側で支持シャフト１２を支持している状態のみを示す。スペーサローラ２８の外周面には、ゴムなどの弾性材料のＯリング２９が装着される。スペーサローラ２８は、内側の移動ローラ２６を装着する支持シャフト１２が一方側のレール柱１３側に入り込んで、他方側でレール柱１３から脱落しないようにする働きと、折り畳み持に、支持シャフト１２同士が接触しないように間隔を開ける働きとを有する。
【００１７】
レール柱１３には、移動ローラ２６，２７を案内する軌道３０として、内側の移動ローラ２６を案内する内側軌道３１と、外側の移動ローラ２７を案内する外側軌道３２とが設けられる。このようなレール柱１３は、たとえばアルミニウムなどの金属材に、押出し加工を施して製造することができる。なお、内側軌道３１と外側軌道３２とは、支持シャフト１２の幅方向を基準としているので、レール柱１３を基準にすれば、内外は逆になる。内側軌道３１と外側軌道３２との間には、凹溝３３が設けられる。凹溝３３には、外側の移動ローラ２７が設けられる支持シャフト１２の端部で、移動ローラ２７の内側に取付けられるストッパリング３４が嵌合する。ストッパリング３４は、支持シャフト１２が軌道から引抜かれるのを防ぐ。一つの支持シャフト１２と隣接する両側の支持シャフト１２との間を連結する２枚のリンク板２５は、リンク取付けフランジ３５で隙間を保つようにしている。
【００１８】
図５は、オーニング装置１で、天幕１１を収容している状態から天幕１０として展開するまで、引出す過程を示す。レール柱１３の先端付近には、ベルト２１が掛け渡されるプーリ３６が設けられる。ベルト２１の一部には、支持シャフト１２を狭い間隔で並べて保持する先端部材３７が装着される。先端部材３７で保持される支持シャフト１２には、天幕１０，１１の先端側が巻付けられて固定される。すなわち、天幕１０，１１に対して、支持シャフト１２は支持を行う支持部材として機能する。また、レール柱１３は、以下に説明するように、支持シャフト１２の幅方向の両端を支持しながら、移動を案内する軌道となる軌道部材として機能する。天幕１０，１１の展開や収納は、風力や日照、気温などを監視して、自動的に行うようにすることができる。たとえば、風力計を設けて、一定の強風条件が成立すれば、直ちに展開状態の天幕１０を収納するようにすれば、強風に対する安全を確保することができる。
【００１９】
図５（ａ）に示すように、先端部材３７がレール柱１３の最基端側に移動していると、天幕１１は支持シャフト１２毎に折り畳まれている。図５（ｂ）および図５（ｃ）に示すように、モータ２０でベルト２１を駆動して、先端部材３７をプーリ３６側に移動させると、折り畳み機構１７内でリンク板２５が三角形状に開き、先端部材３７の次の支持シャフト１２が下側から上側への上下変化を伴いながら先端側に移動する。図５（ｄ）に示すように、先端部材３７の次の支持シャフト１２が折り畳み機構１７を外れてレール柱１３で案内されるようになると、この支持シャフト１２の両側のリンク板２５は直線上に並び、折り畳み機構１７内では、次の上側の支持シャフト１２、下側の支持シャフト１２および、さらに次の上側の支持シャフト１２が先端側に移動を開始し、これらを連結するリンク板２５が三角形状に開く。以下、同様に、先端部材３７がプーリ３６側に移動するにつれて支持シャフト１２および天幕１１が繰出され、図５（ｅ）に示すように展開する。なお、最後のリンク板２５は傾斜した状態に留め、天幕１０の張りを保つための重りの役目を果させる。
【００２０】
図６は、図５（ａ）に対応して、先端部材３７を移動させる移動機構としての構成を示す。各支持シャフト１２は、スペーサローラ２８で接触しないように、端部を軌道３０で支持される。スペーサローラ２８同士は、接触する外周面にＯリング２９が装着されているので、接触しても緩衝される。先端部材３７は、ベルト２１に装着される。ベルト２１の基端側は、プーリ３８に掛け渡される。プーリ３８には、モータ２０からの駆動力がベルト３９を介して与えられる。プーリ３８の回転は、回転軸２３を介して、もう一つのレール柱１３側のベルト２２にも伝達される。ベルト２２でも、先端部材３７と同様な構成で、天幕１０，１１を進退させる移動が行われる。
【００２１】
図７は、折り畳み機構１７で、支持シャフト１２を上下に分けて収納したり、リンク板２５を直線状に延して展開させたりする際の軌跡を示す。折り畳み機構１７には、図４に示す内側の移動ローラ２６を案内する下降カム４１および基端カム４２が設けられる。下降カム４１は、移動ローラ２６を順次案内し、下方に移動させて折り畳んだり、上方に移動させて移動ローラ２７とほぼ水平に並ばせたりする案内を行う。基端カム４２は、展開時に最後に移動するリンク板２５が傾斜して止り、展開する天幕１０に張りを与えるように、下側の支持シャフト１２を中間位置で止める。図６に示すように、レール柱１３の基端側には、モータ２０などの駆動機構が設けられるので、最後の支持シャフト１２に張り渡される天幕１０で、駆動機構を隠すこともできる。
【００２２】
図８は、リンク板２５で連結される支持シャフト１２を展開している状態から折り畳む状態を模式的に示す。図８（ａ）に示すように、支持シャフト１２は、リンク板２５で連結され、移動ローラ２６，２７が幅方向の内側と外側とに交互に取付けられている。図８（ｂ）に示すように、展開時には、移動ローラ２６，２７は、同一の高さの内側軌道３１および外側軌道３２によって案内され、リンク板２５は直線状に並ぶ。このため、特に展開状態から折り畳む際に、図の左側から先端部材３７で押して、円滑に移動させることができる。図８（ｃ）に示すように、下降カム４１の部分では、内側軌道３１が無くなり、外側軌道３２のみが残る。この結果、図８（ｄ）に示すように、内側の移動ローラ２６は下方に案内され、外側の移動ローラ２７は元の高さに残り、リンク部材２５は三角形状に折り畳まれる。
【００２３】
なお、支持シャフト１２には同一の移動ローラ２６のみを取付け、上方に残す支持シャフト１２は、たとえば端部を延長しておいて、折り畳み機構１７では延長部分を支持して下降を防ぐようにすることもできる。また、延長部分を設けずに、すべての支持シャフト１２を同一の構成としても、軌道が折り畳み機構１７に入る部分に可動式のゲートを設け、支持シャフト１２の順番に応じてゲートを開閉し、ゲートの開状態で指示シャフト１２を下降させるようにしてもよい。
【００２４】
また、図８では図示を省略しているけれども、天幕１０，１１は、支持シャフト１２の上または下の一方になるように支持する。図８（ｄ）に示すように折り畳む状態では、支持シャフト１２の周りに巻付けられるので、展開時よりも張る。このような折り畳み時と展開時との違いは、天幕１０，１１を支持シャフト１２に取付ける部分に余裕を持たせれば吸収させることができる。また、天幕１０，１１の素材として伸縮性を有するものを使用することもできる。
【００２５】
図９は、本発明の実施の他の形態としてのオーニング装置５１の部分的な構成を示す。オーニング装置５１では、折り畳み時に下側となる支持シャフト１２にリンク板２５を直接連結しないで、調整板５２を介して連結する。隣接する上側の支持シャフト１２と調整板５２との連結は、連結ピン５３を介して行う。これによって、折り畳み時に、上下に分れて隣接する支持シャフト１２間の距離を、リンク板２５で連結する連結ピン５３と上側の支持シャフト１２間の距離よりも短くすることができ、折り畳み時に天幕１１が支持シャフト１２に巻き付いても、張らないようにすることができる。特に、天幕１０，１１を、折り畳み時に下側となる支持シャフト１２では上側から、折り畳み時に上側となる支持シャフト１２では下側から、交互に支持するような場合に、好適な支持を行うことができる。
【００２６】
以上で説明しているように、各実施の形態のオーニング装置１，５１を使用すれば、折り畳んでの収納に要するスペースに比較して、広い範囲に展開し、日除けなどの機能を発揮させることができる。このようなオーニング装置１，５１は、ビルの屋上などに設置し、広い範囲に展開させて、菜園や庭園などとしての屋上緑化の際に、人が必要とするスペースの屋根として機能させることができる。ビルの屋上などでは強風にさらされることが多くなるけれども、天幕を折り畳んで収納することができるので、損傷を受けないようにすることができる。なお、既存のビルの屋上を緑化するような場合ではなく、新規に屋上緑化を含めてビルを設計するような場合は、図１の基端側を壁面４内に収納し、屋上床面２上を、展開される天幕１０のみで覆うようにすることもできる。
【図面の簡単な説明】
【００２７】
【図１】本発明の実施の一形態としてのオーニング装置１の概略的な構成を示す斜視図である。
【図２】図１のオーニング装置１で、天幕１０をレール柱１３の先端側まで展開させている状態と、天幕１１をレール柱１３の基端側で折り畳んで収納している状態とを、並べて示す平面図である。
【図３】図１のオーニング装置１で、天幕１０を展開する状態と、天幕１１を収納する状態とでの支持シャフト１２等の配置を示す正面断面図である。
【図４】図１のオーニング装置１で、支持シャフト１２の片側の端部をレール柱１３で支持する構造を示す正面断面図である。
【図５】図１のオーニング装置１で、天幕１１を収容している状態から天幕１０として展開するまで、引出す過程を示す側面断面図である。
【図６】図５（ａ）に対応して、先端部材３７を移動させる移動機構としての構成を示す部分的な側面断面図である。
【図７】図１の折り畳み機構１７で、支持シャフト１２を上下に分けて収納したり、リンク板２５を直線状に延して展開させたりする際の軌跡を示す側面断面図である。
【図８】図１のリンク板２５で連結される支持シャフト１２を展開している状態から折り畳む状態を模式的に示す図である。
【図９】本発明の実施の他の形態としてのオーニング装置５１の部分的な構成を示す側面断面図である。
【符号の説明】
【００２８】
１，５１  オーニング装置
２  屋上床面
４  壁面
１０，１１  天幕
１２  支持シャフト
１３  レール柱
１７  折り畳み機構
２０  モータ
２１，２２  ベルト
２５  リンク板
２６，２７  移動ローラ
３０  軌道
３１  内側軌道
３２  外側軌道
３７  先端部材
４１  下降カム
４２  基端カム
５２  調整板
【図１】
2010065513.tif 000003
【図２】
2010065513.tif 000004
【図３】
2010065513.tif 000005
【図４】
2010065513.tif 000006
【図５】
2010065513.tif 000007
【図６】
2010065513.tif 000008
【図７】
2010065513.tif 000009
【図８】
2010065513.tif 000010
【図９】
2010065513.tif 000011